(57)【要約】【課題】電気料金の情報に基づいて蓄電池の充電制御の適否を判定する。【解決手段】ＨＥＭＳ３０は、時間帯で電気料金が異なる料金プランを情報センター８０から取得し、当該取得した料金プランを設定し、設定蓄電池９０を充電する充電予定時間を設定する。また、ＨＥＭＳ３０は、設定した充電予定時間が、料金プランにおいて電気料金が高額な時間帯と重複しているか否かをチェックし、充電予定時間が料金プランの高額な時間帯と重複している場合には、充電予定時間が誤設定されていると判定する。【選択図】図１
2013236519.tif 000002
【特許請求の範囲】
【請求項１】
蓄電池を充電する充電予定時間を設定する時間設定手段と、
電気料金の情報を管理する情報センターから時間帯で電気料金が異なる料金プランを取得する取得手段と、
該取得した料金プランを設定する料金プラン設定手段と、
前記時間設定手段が設定した充電予定時間が、前記料金プラン設定手が設定した料金プランでの電気料金が高額な時間帯と重複しているか否かによって前記充電予定時間の設定の適否を判定し、前記充電予定時間が前記高額な時間帯と重複している場合には、前記充電予定時間が誤設定されていると判定する制御手段と、
を備えた蓄電池充放電制御装置。
【請求項２】
建物の消費電力量を計測する消費電力量計測手段をさらに備え、
前記取得手段は、前記情報センターから前記料金プラン設定手段が設定した料金プランの各時間帯での電気料金の単価の情報をさらに取得し、
前記制御手段は、前記消費電力計測手段が計測した建物の消費電力量及び前記取得手段が取得した電気料金の単価の情報に基づいて、前記建物の消費電力量に基づく電気料金を算出すると共に、該算出された電気料金のうち、前記充電予定時間が設定された前後の電気料金を比較することによって前記充電予定時間の設定の適否を判定し、前記充電予定時間が設定された後に電気料金が増加している場合は、前記充電予定時間が誤設定されていると判定する請求項１に記載の蓄電池充放電制御装置。
【請求項３】
前記制御手段は、前記充電予定時間が設定される前の所定日数において算出された電力料金と、前記充電予定時間が設定された後の所定日数において算出された電気料金とを比較することによって前記充電予定時間の設定の適否を判定する請求項２に記載の蓄電池充放電制御装置。
【請求項４】
前記制御手段は、前記算出した電気料金のうち、夜間の時間帯での電気料金が所定の閾値以下の場合に、該夜間の時間帯を前記充電予定時間に設定するように前記時間設定手段を制御する請求項２又は３に記載の蓄電池充放電制御装置。
【請求項５】
前記制御手段は、前記算出した電気料金のうち、夜間の時間帯での電気料金が所定の閾値を超える場合に、太陽光発電装置による発電が可能な時間帯を充電予定時間に設定するように前記時間設定手段を制御する請求項２又は３に記載の蓄電池充放電制御装置。
【請求項６】
情報を表示する表示手段をさらに備え、
前記制御手段は、前記充電予定時間の設定の適否の判定結果を前記表示手段に表示させる請求項１〜５のいずれか１項に記載の蓄電池充放電制御装置。
【請求項７】
判定結果を携帯端末に送信可能な送信手段をさらに備え、
前記制御手段は、前記送信手段を介して、前記充電予定時間の設定の適否の判定結果を送信し、該判定結果を前記携帯端末に表示させる請求項１〜６のいずれか１項に記載の蓄電池充放電制御装置。
【発明の詳細な説明】
【技術分野】
【０００１】
本発明は、電気料金に基づいて蓄電池の充放電を制御する蓄電池充放電制御装置に関する。
【０００２】
以前から、電気料金及び充電時間帯を考慮して蓄電池を充電する装置があった。
【０００３】
例えば、特許文献１には、電気料金情報と、蓄電池の情報とに基づいて充放電のスケジュールを作成し、作成したスケジュールに基づいて蓄電池の充放電を行う蓄電池充放電装置の発明が提案されている。
【先行技術文献】
【特許文献】
【０００４】
【特許文献１】特開２０１０−２６８６０２号公報
【発明の概要】
【０００５】
しかしながら、特許文献１に記載の技術は、作成した充放電のスケジュールの適否の検証を考慮していないという問題があった。
【０００６】
本発明は、上記事実を考慮して成されたもので、電気料金の情報に基づいて蓄電池の充電制御の適否を判定する蓄電池充放電制御装置を提供することを目的とする。
【課題を解決するための手段】
【０００７】
上記課題を解決するための請求項１の発明は、蓄電池を充電する充電予定時間を設定する時間設定手段と、電気料金の情報を管理する情報センターから時間帯で電気料金が異なる料金プランを取得する取得手段と、該取得した料金プランを設定する料金プラン設定手段と、前記時間設定手段が設定した充電予定時間が、前記料金プラン設定手が設定した料金プランでの電気料金が高額な時間帯と重複しているか否かによって前記充電予定時間の設定の適否を判定し、前記充電予定時間が前記高額な時間帯と重複している場合には、前記充電予定時間が誤設定されていると判定する制御手段と、を備える。
【０００８】
請求項１に記載の発明によれば、設定された充電予定時間が、料金プランにおいて電気料金が高額な時間帯に重複している場合は、充電予定時間が誤設定されていると判定するので、電気料金の情報に基づく蓄電池の充電制御の適否を判定することができる。
【０００９】
請求項２の発明は、請求項１に記載の発明において、建物の消費電力量を計測する消費電力量計測手段をさらに備え、前記取得手段は、前記情報センターから前記料金プラン設定手段が設定した料金プランの各時間帯での電気料金の単価の情報をさらに取得し、前記制御手段は、前記消費電力計測手段が計測した建物の消費電力量及び前記取得手段が取得した電気料金の単価の情報に基づいて、前記建物の消費電力量に基づく電気料金を算出すると共に、該算出された電気料金のうち、前記充電予定時間が設定された前後の電気料金を比較することによって前記充電予定時間の設定の適否を判定し、前記充電予定時間が設定された後に電気料金が増加している場合は、前記充電予定時間が誤設定されていると判定する。
【００１０】
請求項２に記載の発明によれば、充電予定時間の設定前後での建物の電気料金を比較し、設定後に電気料金が増加している場合は、充電予定時間が誤設定されていると判定するので、電気料金の情報に基づく蓄電池の充電制御の適否を判定することができる。
【００１１】
請求項３の発明は、請求項２に記載の発明において、前記制御手段は、前記充電予定時間が設定される前の所定日数において算出された電力料金と、前記充電予定時間が設定された後の所定日数において算出された電気料金とを比較することによって前記充電予定時間の設定の適否を判定する。
【００１２】
請求項３に記載の発明によれば、ある程度の期間における電気料金の変化に基づいて、充電予定時間の設定の適否を判定するので、建物の消費電力量の実態に則した判定が可能となる。
【００１３】
請求項４の発明は、請求項２又は３に記載の発明において、前記制御手段は、前記算出した電気料金のうち、夜間の時間帯での電気料金が所定の閾値以下の場合に、該夜間の時間帯を前記充電予定時間に設定するように前記時間設定手段を制御する。
【００１４】
請求項４に記載の発明によれば、計測された建物の夜間の電気料金が低廉な場合は、当該夜間の時間帯を充電予定時間帯に設定することができる。
【００１５】
請求項５の発明は、請求項２又は３に記載の発明において、前記制御手段は、前記算出した電気料金のうち、夜間の時間帯での電気料金が所定の閾値を超える場合に、太陽光発電装置による発電が可能な時間帯を充電予定時間に設定するように前記時間設定手段を制御する。
【００１６】
請求項５に記載の発明によれば、計測された建物の夜間の電気料金が高額な場合は、太陽光発電が可能な時間帯を充電予定時間に設定することができる。
【００１７】
請求項６の発明は、請求項１〜５のいずれか１項に記載の発明において、情報を表示する表示手段をさらに備え、前記制御手段は、前記充電予定時間の設定の適否の判定結果を前記表示手段に表示させる。
【００１８】
請求項６に記載の発明によれば、充電予定時間の判定の結果をユーザに報知することができる。
【００１９】
請求項７の発明は、請求項１〜６のいずれか１項に記載の発明において、判定結果を携帯端末に送信可能な送信手段をさらに備え、前記制御手段は、前記送信手段を介して、前記充電予定時間の設定の適否の判定結果を送信し、該判定結果を前記携帯端末に表示させる。
【００２０】
請求項７に記載の発明によれば、遠隔地に存在するユーザに充電予定時間の判定の結果を報知することができる。
【発明の効果】
【００２１】
以上説明したように、請求項１に記載の発明は、充電予定時間が、電気料金が高額な時間帯に重複している場合は設定が適切ではないと判定するので、電気料金の情報に基づいて蓄電池の充電制御の適否を判定することができるという効果を有する。
【００２２】
請求項２に記載の発明によれば、充電予定時間を設定前後の電気料金を比較し、設定後に電気料金が増加している場合は設定が適切ではないと判定するので、電気料金の情報に基づいて蓄電池の充電制御の適否を判定することができるという効果を有する。
【００２３】
請求項３に記載の発明によれば、所定期間における電気料金に基づいて充電予定時間の設定の適否を判定するので、電力の使用の実態に合致した蓄電池の充電制御の適否を判定することができるという効果を有する。
【００２４】
請求項４に記載の発明によれば、電気料金が低廉な夜間の時間帯を充電予定時間に設定することにより、蓄電池の充電に要するコストを抑制することができるという効果を有する。
【００２５】
請求項５に記載の発明によれば、夜間の電気料金が高額な場合には、太陽光発電が可能な時間帯を充電予定時間に設定することにより、蓄電池の充電に要するコストを抑制することができるという効果を有する。
【００２６】
請求項６に記載の発明によれば、充電予定時間の設定の適否の判定をユーザに報知することにより、設定が適切でない場合は、再度の設定を促すことができるという効果を有する。
【００２７】
請求項７に記載の発明によれば、充電予定時間の設定の適否の判定を遠隔地のユーザに報知することができるという効果を有する。
【図面の簡単な説明】
【００２８】
【図１】本発明の実施の形態に係る蓄電池充放電制御装置を含むシステムの全体像を示す概略図である。
【図２】電気料金の料金プランの一例の概略を示す図である。
【図３】本発明の実施の形態に係る蓄電池充放電制御装置であるＨＥＭＳ３０の概略構成を示すブロック図である。
【図４】本発明の実施の形態に係る蓄電池充放電制御装置であるＨＥＭＳによる蓄電池の制御を示すフローチャートである。
【図５】充電予定時間が最高料金時間帯と重複している場合の一例を示す図である。
【図６】本発明の実施の形態における充電予定時間の設定処理のフローチャートである。
【発明を実施するための形態】
【００２９】
以下、図面を参照して本発明の実施の形態の一例を詳細に説明する。図１は、本発明の実施の形態に係る蓄電池充放電制御装置を含むシステムの全体像を示す概略図である。
【００３０】
建物１０には、電力会社から供給される系統電力１２が接続される分電盤１４が設けられており、系統電力１２からの電力が分電盤１４を介して建物１０内に供給されるようになっている。
【００３１】
また、建物１０には太陽光発電装置１６が設けられており、太陽光発電装置１６が発電した電力は、分電盤１４に供給される。
【００３２】
太陽光発電装置１６と分電盤１４との間には、太陽光発電装置１６から分電盤１４に供給される電力の電流値及び電圧値を計測可能な太陽光発電電流電圧センサ５４が設けられている。太陽光発電電流電圧センサ５４が計測した電流値及び電圧値は分電盤１４を介して、後述するＨＥＭＳ（HomeEnergy Management System）３０に送信可能である。
【００３３】
分電盤１４には、複数の電力供給先として、建物１０に設けられた家電機器２０及び住設機器２２等が接続されており、系統電力１２からの電力が供給される。
【００３４】
また、分電盤１４には、系統電力１２及び太陽光発電装置１６から供給された電力を充電できる蓄電池９０と、建物内のエネルギーの管理や制御を行うと共に、蓄電池９０の充放電を制御する蓄電池充放電制御装置であるＨＥＭＳ３０が接続されている。
【００３５】
蓄電池９０には、鉛蓄電池、ニッケル水素電池又はリチウムイオン電池等の、充放電が可能な二次電池が使用される。これらの二次電池の１セルは、起電力が略１〜２Ｖなので、本実施の形態では、複数のセルを直列にして所望の電圧が得られるようにしている。さらに所望の電圧を得られるように直列に接続された複数のセルからなる集合体を複数並列に束ねパッケージ化することで、所望の電流が得られるようにしている。
【００３６】
また、パッケージ化された蓄電池９０には、分電盤１４を介して供給される交流（例えば、１００Ｖ、５０Ｈｚ）を、蓄電池の充電に適した電圧の直流に変換すると共に、蓄電池９０が放電した直流を分電盤１４から家電機器２０及び住設機器２２に供給される交流に変換可能な双方向インバータ等の変換手段（図示せず）が設けられている。
【００３７】
さらに、蓄電池９０は、蓄電池９０の充放電を制御する充放電制御回路（図示せず）を備え、前述のインバータと共に蓄電池制御用インターフェース５６を介してＨＥＭＳ３０によって制御される。
【００３８】
蓄電池制御用インターフェース５６は、制御のインターフェースとしての機能を有すると共に、分電盤１４と蓄電池９０との間を流れる電流及び電力を計測可能なセンサの機能を有する。
【００３９】
また、分電盤１４から家電機器２０及び住設機器２２に電力を供給する回路には電流センサ５２が設けられている。電流センサ５２が計測した電流値及び電圧値は分電盤１４を介して、ＨＥＭＳ３０に送信可能である。
【００４０】
ＨＥＭＳ３０は、分電盤１４の制御及び蓄電池制御用インターフェース５６を介しての蓄電池９０の制御により、系統電力１２、太陽光発電装置１６及び蓄電池９０の電力を建物１０へ供給するため、又は蓄電池９０を充電するための電力の制御を行う。
【００４１】
また、ＨＥＭＳ３０は、電流センサ５２が計測した電流値並びに蓄電池制御用インターフェース５６が計測した電流値及び電圧値に基づいて、建物１０における消費電力量を算出する。
【００４２】
具体的には、家電機器２０及び住設機器２２による消費電力量は電流センサ５２が計測した電流値に、所定の電圧値、例えば１００Ｖを乗算することによって算出する。
【００４３】
また、蓄電池制御用インターフェース５６が計測した蓄電池９０を充電するために分電盤１４から蓄電池９０に供給された電力の電流値及び電圧値から、蓄電池９０の充電による使用電力量を算出する。
【００４４】
次いで、電流センサ５２の計測に基づく消費電力量と、蓄電池制御用インターフェース５６の計測に基づく消費電力量とを合計して、建物１０の消費電力量を算出する。
【００４５】
ＨＥＭＳ３０は、ネットワーク６０を介して情報センター８０と接続され、情報センター８０から系統電力１２の時間帯別に電気料金が異なる料金プランの情報及び系統電力１２の電気料金の単価の情報を取得する。
【００４６】
図２は、電気料金の料金プランの一例の概略を示す図である。図２は、夜間の時間帯に電気料金が低廉となり、昼間の時間帯に電気料金が高額となり、朝及び夕方の時間帯は伝料金が夜間と昼間との中庸に相当する金額となる「３時間帯別電灯」を示している。
【００４７】
各時間帯の電気料金の単価は、一例として、夜間は１０円／ｋＷｈ、昼間は３２円／ｋＷｈ、朝及び夕方は２２円／ｋＷｈとする。
【００４８】
本実施の形態で、ＨＥＭＳ３０は、建物１０の消費電力量と電気料金の単価とに基づいて、建物１０の消費電力量に基づく電気料金を算出することができるものとする。
【００４９】
図３は、本実施の形態に係る蓄電池充放電制御装置であるＨＥＭＳ３０の概略構成を示すブロック図である。
【００５０】
ＨＥＭＳ３０は、コンピュータを含んで構成されており、図３に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００５１】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００５２】
本実施の形態では、操作部４８の操作によって蓄電池９０を充電する充電予定時間を予め設定可能であって、ＨＥＭＳ３０は、コンピュータが備える計時機能に従って設定された時間になった場合に蓄電池９０を充電する。
【００５３】
メモリ５０には、建物１０へ供給する電力を制御するプログラム及び蓄電池９０の充放電を制御するプログラム等が記憶されている。
【００５４】
さらにメモリ５０には、これらのプログラムを実行するための各種情報等が記憶されている。
【００５５】
ＨＥＭＳ３０は、メモリ５０に記憶されたプログラムをＲＡＭ４０等に展開してＣＰＵ３６で実行することにより、建物１０へ供給する電力の制御等の各種制御を行うようになっている。
【００５６】
さらに、入出力ポート４２には、分電盤１４、蓄電池制御用インターフェース５６及びネットワーク６０を介して情報センター８０との間で情報の送受信が可能なネットワークインターフェース３４等が接続されている。本実施の形態では、電流センサ５２及び太陽光発電電流電圧センサ５４の計測結果は、分電盤１４を介してＨＥＭＳ３０が取得可能であるとする。
【００５７】
次に、図４を用いて、ＨＥＭＳ３０による蓄電池９０の制御について説明する。
【００５８】
図４は、本実施の形態に係るＨＥＭＳ３０による蓄電池９０の制御を示すフローチャートである。なお、図４では、ＨＥＭＳ３０は３時間帯別電灯等の料金プランの情報及び当該料金プランの電気料金の単価の情報を情報センター８０から取得済みであり、取得した料金プランの情報が示す料金プランが設定されているものとする。
【００５９】
さらに、ＨＥＭＳ３０は、建物１０の消費電力量と取得した電気料金の単価の情報とに基づいて、建物１０の消費電力量に基づく電気料金を算出し、算出した電気料金をメモリ５０に累積的に記憶しているものとする。
【００６０】
ステップ４００では、蓄電池９０を放電させる時間である放電予定時間を設定する。放電予定時間は、ＨＥＭＳ３０の操作部４８からの入力に従って設定される。
【００６１】
ステップ４０２では、設定されている料金プランで、電気料金の単価が最も高い最高料金時間帯を抽出する。最高料金時間帯は、例えば、図２では、昼間の時間帯が該当する。
【００６２】
ステップ４０４では、ステップ４００で設定した充電予定時間が最高料金時間帯と重複しているか否かが判定される。
【００６３】
図５は、充電予定時間が最高料金時間帯と重複している場合の一例であり、このような場合には、ステップ４０４で肯定判定がされる。
【００６４】
ステップ４０４で肯定判定の場合は、ステップ４０６で、充電予定時間の設定は誤っている旨を表示部４６に表示させて、処理を終了する。
【００６５】
ステップ４０４で否定判定の場合は、ステップ４０８で充電予定時間設定前後の電気料金を比較する。
【００６６】
前述のように、本実施の形態では、ＨＥＭＳ３０は、建物１０の消費電力量と電気料金の単価とに基づいて、建物１０の電気料金を算出し、メモリ５０に記憶している。ステップ４０８では、メモリ５０に記憶されている充電予定時間設定前後の電気料金を比較する。
【００６７】
ステップ４１０では、充電予定時間の設定後に電気料金が増加しているか否かが判定され、肯定判定の場合は、ステップ４０６で、充電予定時間の設定は誤っている旨を表示部４６に表示させて、処理を終了する。
【００６８】
ステップ４１０で否定判定の場合は、充電予定時間の設定は適正である旨を表示部４６に表示させて、処理を終了する。
【００６９】
以上のように、図４では、蓄電池９０の充電予定時間が、電気料金の料金プランで電気料金が最も高い時間帯に重複して設定されていないかどうかが判定され、さらに、設定前後の電気料金の変化に基づいて、充電予定時間の設定の適否を判定する。
【００７０】
これにより、電気料金が低廉になるように蓄電池９０の充電予定時間を設定することが可能となる。
【００７１】
ステップ４０８における充電予定時間設定前後の電気料金の比較では、充電予定時間が設定される前の所定日数において算出された電力料金と、充電予定時間が設定された後の該所定日数において算出された電気料金とを比較するようにしてもよい。所定日数は、３〜７日間、又は１カ月等、任意の日数でよい。
【００７２】
例えば、充電予定時間設定直前までの１週間の電気料金と、充電予定時間設定直後からの１週間の電気料金とを比較することで、建物１０の電力消費の実態に即した充電予定時間の適否の判定が可能となる。
【００７３】
また、本実施の形態では、ステップ４０６又はステップ４１２における判定結果を、ネットワーク６０を介して、携帯情報端末（図示せず）に送信するようにしてもよい。
【００７４】
なお、図４では、ステップ４０２において、最高料金時間帯を抽出したが、料金プランで料金が最も低廉な、最低料金時間帯を抽出するようにしてもよい。
【００７５】
最低料金時間帯を抽出した場合は、ステップ４０４で充電予定時間が最低料金時間帯と重複する場合に肯定判定し、充電予定時間設定後に電気料金が増加していなければ充電予定時間の設定は適正と判定する。
【００７６】
また、本実施の形態では、充電予定時間を自動的に設定するようにしてもよい。図６は、本実施の形態における充電予定時間の設定処理のフローチャートである。
【００７７】
なお、図６では、ＨＥＭＳ３０は、太陽光発電電流電圧センサ５４が計測した電流値及び電圧値に基づいて、太陽光発電装置１６の発電量を時間帯別に算出し、メモリ５０へ累積的に記憶しているものとする。時間帯は、例えば単位時間を１時間としたものが考えられるが、単位時間を２時間又はそれ以上とする時間帯であってもよい。
【００７８】
ステップ６００では、設定されている料金プランが、時刻によって電気料金の単価が変化しない従量電灯か否かが判定される。
【００７９】
ステップ６００で肯定判定の場合は、ステップ６０２でメモリ５０から所定期間における過去の太陽光発電装置１６の発電量の時間帯別の推移を取得する。
【００８０】
所定期間は、例えば、最近１週間、最近１カ月又は前年同月等でよい。
【００８１】
ステップ６０４では、所定期間における太陽光発電装置１６の発電量の平均値を各時間帯で各々算出し、算出した平均値が所定の閾値以上の時間帯を抽出する。
【００８２】
所定の閾値の設定には種々の方法が考えられるが、太陽光発電装置１６による発電が可能な時間帯を抽出できるような閾値を設定できればよい。一例として、ステップ６０４で算出された各時間帯の発電量の平均値の最大値の８０％を所定の閾値とすることが考えられる。
【００８３】
ステップ６０６では、ステップ６０４で抽出した時間帯を充電予定時間に設定して処理を終了する。
【００８４】
ステップ６００で否定判定の場合、すなわち、料金プランが、昼間と夜間で電気料金の単価が異なる時間帯別電灯又は昼間と朝夕と夜間で電気料金の単価が異なる３時間帯別電灯の場合は、ステップ６０８で、夜間の消費電力量と電気料金の単価とから算出された夜間の電気料金が閾値以下か否かが判定される。
【００８５】
夜間の時間帯は、一例として、２３時から翌朝５時とすることが考えられる。
【００８６】
ステップ６０８の閾値は、夜間の電気料金が通常よりも高いか否かを判定可能なものでよく、一例として、所定期間における建物１０の電気料金の単位時間での平均値を閾値とすることが考えられる。
【００８７】
例えば、所定期間を最近１週間として、単位時間を1時間とした場合、閾値は、最近1週間での建物１０の電気料金を１６８で除算して得た商となる。
【００８８】
夜間の時間帯が２３時から翌朝５時の６時間の場合は、かかる夜間の時間帯の電気料金が、単位時間を１時間とした場合の閾値の６倍を超えているか否かを判定する。
【００８９】
ステップ６０８で肯定判定の場合は、ステップ６１０で夜間の時間帯を充電予定時間に設定して処理を終了する。
【００９０】
ステップ６０８で否定判定の場合は、ステップ６１２で夜間の時間帯以外に電気料金が安い時間帯を料金プランから抽出可能か否かが判断される。
【００９１】
設定されている料金プランが例えば３時間帯別電灯の場合であれば、夜間に次いで料金が安い朝夕の時間帯を抽出できる。
【００９２】
ステップ６１２で肯定判定の場合は、ステップ６１４で抽出した時間帯を充電予定時間に設定して処理を終了する。
【００９３】
設定されている料金プランが、例えば時間帯別電灯の場合は、夜間の時間帯以外の時間帯は、最高料金時間帯となる昼間しかないので、夜間の時間帯以外に電気料金が安い時間帯を料金プランから抽出できない。この場合は、ステップ６１２で否定判定し、手順をステップ６０２に移行させ、太陽光発電装置１６による発電が可能な時間帯を充電予定時間に設定する。
【００９４】
以上のように、図６に示した処理によれば、太陽光発電装置１６の発電量、夜間での電力消費量を考慮して、充電予定時間を自動的に設定することが可能となる。
【００９５】
なお、図６の充電予定時間の設定の処理は、ＨＥＭＳ３０で行ってもよいが、情報センター８０で行うようにしてもよい。
【００９６】
例えば、建物１０からは、ＨＥＭＳ３０に設定されている料金プラン、建物１０の消費電力量及び太陽光発電装置１６の発電量の情報等をＨＥＭＳ３おのネットワークインターフェース３４からネットワーク６０を介して情報センター８０に送信する。情報センター８０では、受信した情報に基づいて、図６に示した処理を実行する。
【符号の説明】
【００９７】
１０    建物
１２    系統電力
１４    分電盤
１６    太陽光発電装置
３０    ＨＥＭＳ
３４    ネットワークインターフェース
３６    ＣＰＵ
３８    ＲＯＭ
４０    ＲＡＭ
４６    表示部
４８    操作部
５０    メモリ
５２    電流センサ
５４    太陽光発電電流電圧センサ
５６    蓄電池制御用インターフェース
６０    ネットワーク
８０    情報センター
９０    蓄電池
【図１】
2013236519.tif 000003
【図２】
2013236519.tif 000004
【図３】
2013236519.tif 000005
【図４】
2013236519.tif 000006
【図５】
2013236519.tif 000007
【図６】
2013236519.tif 000008